(57)【要約】【課題】換気機能が充実していて野地板の結露発生を防止できると共に、施工時の瓦の踏み割れ防止が達成できる棟部換気装置を提供すること。【解決手段】棟の屋根換気通路６を覆う状態で設けられると共に、瓦２に対向して位置する瓦対向本体部１１と、当該棟の屋根換気通路６を挟んで左右に設けられる野地板当接部２０と、瓦対向本体部１１と野地板当接部２０とを棟側および軒先側で連結する棟側連結部３０および軒先側連結部４０とを有し、瓦対向本体部１１と野地板当接部２０とは、棟側連結部３０側の間隔が、軒先側連結部４０の間隔と比較して狭いテーパー状で、野地板１と瓦２との間に設置されると共に、棟側換気口３２と軒先側換気口４２によって、所定開口面積の換気口面積が確保された瓦野地板間換気通路５０とで構成されている。【選択図】図１
2018076670.tif 000002
【特許請求の範囲】
【請求項１】
棟の屋根換気通路を覆う状態で設けられると共に、瓦に対向して位置する瓦対向本体部と、
当該棟の屋根換気通路を挟んで左右に設けられる野地板当接部と、
瓦対向本体部と野地板当接部とを棟側で連結すると共に、棟側換気口を有する棟側連結部と、
瓦対向本体部と野地板当接部とを軒先側で連結すると共に、軒先側換気口を有する軒先側連結部と、
を備える棟部換気装置であって、
前記瓦対向本体部と前記野地板当接部とは、前記棟側連結部側の間隔が、前記軒先側連結部側の間隔と比較して狭いテーパー状で、野地板と前記瓦との間に設置され、
かつ前記棟側換気口と前記軒先側換気口によって、所定開口面積の換気口面積が確保された瓦野地板間換気通路と、
を備えることを特徴とする棟部換気装置。
【請求項２】
前記瓦対向本体部は、前記野地板当接部に対して３度から１５度の範囲内でのテーパー角を有する状態で対向する傾斜対向部を有することを特徴とする請求項１に記載の棟部換気装置。
【請求項３】
棟の屋根換気通路を覆う状態で設けられると共に、瓦に対向して位置する瓦対向本体部と、
当該棟の屋根換気通路を挟んで左右に設けられる野地板当接部と、
瓦対向本体部と野地板当接部とを棟側で連結すると共に、棟側換気口を有する棟側連結部と、
瓦対向本体部と野地板当接部とを軒先側で連結すると共に、軒先側換気口を有する軒先側連結部と、
を備える棟部換気装置であって、
前記瓦対向本体部と前記野地板当接部とは、両者が平行な状態、又は前記棟側連結部側の間隔が前記軒先側連結部側の間隔と比較して狭いテーパー状で、野地板と前記瓦との間に設置され、
前記瓦対向本体部の前記瓦側であって軒先側端部近傍に瓦対向支持部が設けられ、
かつ前記棟側換気口と前記軒先側換気口によって、所定開口面積の換気口面積が確保された瓦野地板間換気通路と、
を備えることを特徴とする棟部換気装置。
【請求項４】
前記瓦対向支持部は、前記瓦対向本体部の軒先側端部とこれに対向する前記瓦との間隔に相当する高さを有することを特徴とする請求項３に記載の棟部換気装置。
【請求項５】
前記瓦対向本体部は、前記棟の屋根換気通路との対向する部位であって、前記傾斜対向部の棟部頂部への仮想延長面に対して窪んだ凹状連結部を有し、
前記凹状連結部は前記棟側換気口に対して、前記棟の屋根換気通路と前記瓦野地板間換気通路を確保する状態で構成されていることを特徴とする請求項１乃至４のいずれか１項に記載の棟部換気装置。
【請求項６】
前記軒先側換気口の軒先側部位は前記軒先側連結部と略同じ面をなし、前記瓦野地板間換気通路での結露水又は浸入した雨水を前記軒先側換気口側の外に排水する形状を有することを特徴とする請求項１乃至５のいずれか１項に記載の棟部換気装置。
【請求項７】
前記軒先側連結部は、前記瓦対向本体部と前記野地板当接部とに其々設けられた係合する雄雌の棒状係合部を一定間隔で設けたものであることを特徴とする請求項１乃至６のいずれか１項に記載の棟部換気装置。
【請求項８】
前記軒先側連結部の前記軒先側換気口に対応して、前記軒先側換気口と若干の隙間を置いて前記野地板当接部の瓦野地板間換気通路側に設けられる軒先側換気口用突起部を有することを特徴とする請求項１乃至７のいずれか１項に記載の棟部換気装置。
【請求項９】
前記棟側連結部は、前記瓦対向本体部と前記野地板当接部とに其々設けられた係合する雄雌の棒状係合部を一定間隔で設けたものであることを特徴とする請求項１乃至８のいずれか１項に記載の棟部換気装置。
【請求項１０】
前記瓦野地板間換気通路の換気できる状態は、前記棟側換気口と前記軒先側換気口における小さいほうの開口面積の天井面積に対する割合が１／１６００以上であることを特徴とする請求項１乃至９のいずれか１項に記載の棟部換気装置。
【請求項１１】
前記棟側連結部側と前記軒先側連結部側との間に設けられた中間部遮蔽部材であって、前記棟側換気口と前記軒先側換気口との間に位置する中間部換気口を有すると共に、前記棟側換気口と前記軒先側換気口との間に雨水の遡上を防止する中間部換気口区画部を有することを特徴とする請求項１乃至１０のいずれか１項に記載の棟部換気装置。
【請求項１２】
前記中間部遮蔽部材は、前記中間部換気口の軒先側面は前記軒先側連結部と略同じ面をなし、前記瓦野地板間換気通路での結露水又は浸入した雨水を前記軒先側換気口側の部位に排水する形状を有することを特徴とする請求項１１に記載の棟部換気装置。
【請求項１３】
前記中間部遮蔽部材の前記中間部換気口に対応して、前記中間部換気口と若干の隙間を置いて前記野地板当接部の瓦野地板間換気通路側または前記棟側換気口側に設けられる中間部換気口用突起部を有することを特徴とする請求項１１又は１２に記載の棟部換気装置。
【請求項１４】
前記瓦野地板間換気通路の換気できる状態は、前記棟側換気口、前記軒先側換気口または前記中間部換気口における小さいほうの開口面積の天井面積に対する割合が１／１６００以上であることを特徴とする請求項１１乃至１３のいずれか１項に記載の棟部換気装置。
【発明の詳細な説明】
【技術分野】
【０００１】
本発明は、屋根の棟部箇所に設置される棟部換気装置に関し、特に雨仕舞の勝れた良好な換気ができ、且つ構造が簡単で桟瓦の踏み割れがなく施工が容易にできる棟部換気装置に関する。
【背景技術】
【０００２】
従来から、木造一戸建て住宅や土蔵等の木造建築物においては、切妻屋根が広く用いられている。切妻屋根は、屋根の最頂部の棟から地面に向かい、２つの傾斜面が山形の形状をした屋根である。建築物の平面形状が四角形の場合、切妻屋根を用いると２面だけで屋根が構成されるため、建築コストが安く済むと共に、雨漏りの心配が少ない利点がある。また、切妻屋根は、屋根の上に雪が積もりにくいため、豪雪地帯では、雪の重量による家屋の倒壊の危険が小さいという利点も有する。
【０００３】
ところで、従来の木造プレハブ住宅では、気密性が高められると共に空調設備の高度化が図られている。そして、寄棟屋根は、切妻屋根と比較して屋根勾配が抑えられるので、隣接地との日影規制を考慮する必要性が高い市街化地域で広く用いられている。しかし、切妻屋根と比較して相対的に換気機能が不足しやすい寄棟屋根においては、野地板等の小屋組に結露が発生しやすくなっていた。そこで、野地板に合板を用いている場合には、この結露によって寄棟屋根の野地板の張替工事が必要となる場合があり、建造物の財産的価値が大きく損なわれる状況が生まれていた。そこで、住宅金融を担当する金融機関では、融資期間中の被担保物件である建造物の財産的価値を保持する必要のあることから、換気機能を高めて、野地板の結露発生を防止して、３５年以上の期間に渡って担保価値を保持することが必要になってきている。
【０００４】
そこで、屋根の棟部における換気装置が種々提案されている。例えば特許文献１では、屋根の棟部換気口を覆うようにして、棟部箇所に固着した換気用棟部材に、棟包み材を載置固着すると、換気用棟部材の膨出山形部と傾斜底部及び棟包み材の山形部と屈曲部とによって、ダクト状の換気空隙部が形成される等して、空気の流通が可能となる棟部換気装置が提案されている。しかし、この棟部換気装置は、桟瓦を使用した屋根の施工ではなく、スレート瓦のような平板状の屋根材を使用した屋根の施工に適用されるものであり、瓦桟は全く使用しないタイプの屋根構造である。しかも、棟包み材は屋根の最上部に葺かれる屋根板２の上に載せられるため、屋根の棟の換気は可能であっても、降雨時の雨仕舞いには不十分であるという課題がある。
【０００５】
また、特許文献２では、換気口を備えた棟木支持手段、棟木及びこの棟木と棟の瓦との間に設けた第１・第２換気口を備えた換気通路形成用の通路形成部材で構成する棟部換気装置が提案されている。しかし、桟瓦の瓦尻を固定する瓦残として桟木を補助部材と別途に設けてあるため、屋根の最上部に葺く桟瓦の定置と棟瓦との間の固定が確実でないと共に、換気は補助部材の換気口と棟木支持部材の換気口を用いて行う構造であり、桟瓦による雨水浸入防止効果を考慮していないという課題がある。
【０００６】
そこで、特許文献３では、瓦を屋根の棟に沿って継ぎ合わせながら積層した棟瓦を支持する棟瓦支持部材であって、内部に通気可能な空間を有し、屋根の棟の頂部に沿って屋根の上に取り付けられる長尺なフレーム本体を有する棟瓦支持部材が提案されている。そして、当該棟瓦支持部材を使用して、棟瓦を施工した場合、屋根の最上部に葺く桟瓦は、その尻部をフレーム本体の両側に設けられた段部を有する長尺な桟部に引っ掛けて葺かれるため、屋根の棟に沿って取り付け、固定されるフレーム本体の桟部により、屋根の最上部に葺く桟瓦が屋根の棟の両側の所定の位置に正確且つ確実に葺かれる構造になっている。
【先行技術文献】
【特許文献】
【０００７】
【特許文献１】特公平７−８４７８３号
【特許文献２】特開平９−２６８７２６号
【特許文献３】特許第４０５４１３０号
【発明の開示】
【発明が解決しようとする課題】
【０００８】
他方で、前述のように野地板の結露発生を防止するために、換気棟の有効天井面積は、例えばフラット３５（住宅金融支援機構）の融資基準に基づいて計算されるのが通例である。当該融資基準では、『軒裏又は小屋裏の壁のうち屋外に面するものに吸気孔が設けられ、小屋裏のできるだけ頂部に排気筒その他の器具を用いて排気孔が設けられ、かつ、吸気孔の有効面積の天井面積に対する割合が９００分の１以上であり、排気孔の有効面積の天井面積に対する割合が１６００分の１以上であること。』と規定されている。
そこで、棟に対する開口部を有する棟支持材の設置は、例えば住宅金融支援機構の現在の基準による融資条件である、開口部の有効面積の天井面積に対する割合が１／１６００以上を確保できればよい。しかし、上記特許文献３の棟瓦支持部材の構造では、フレーム本体は桟瓦と野地板との間に形成される狭い通気空間に収容される構造のため、上記の開口部の有効面積を確保するため、フレーム本体の高さを瓦桟の高さよりも高くしていた。
【０００９】
そこで、上記特許文献３の棟瓦支持部材の構造では、瓦桟木とフレーム本体の高さが相違するため、桟瓦の踏み割れが発生しやすいという課題があった。屋根の棟瓦の施工作業は高い屋根の最上部で行われる作業であり、高所に慣れた職人にとっても身の危険に晒されながらの作業となる。そうした中で、桟瓦の踏み割れが発生すると、代替となる桟瓦を施工箇所まで運搬する必要が発生し、施工手順が大幅に遅延するという課題があった。
【００１０】
そこで発明者は、上記問題点等を解決すべく鋭意，研究を重ねた結果、桟瓦と野地板との間に形成される狭い通気空間に収容される構造と、桟瓦又は平板瓦の踏み割れ防止が同時に図れる棟部換気装置を発案した。
即ち、本発明は上述した課題を解決するもので、換気機能が充実していて野地板の結露発生を防止でき、強風を伴う雨があっても屋根の内側への浸水防止対策が図れていると共に、施工時の瓦の踏み割れ防止が達成できる棟部換気装置を提供することを目的とする。
【課題を解決するための手段】
【００１１】
上記課題を解決する本発明の棟部換気装置は、例えば図１、図２に示すように、棟の屋根換気通路６を覆う状態で設けられると共に、瓦２に対向して位置する瓦対向本体部１１と、棟の屋根換気通路６を挟んで左右に設けられる野地板当接部２０と、瓦対向本体部１１と野地板当接部２０とを棟側で連結すると共に、棟側換気口３２を有する棟側連結部３０と、瓦対向本体部１１と野地板当接部２０とを軒先側で連結すると共に、軒先側換気口４２を有する軒先側連結部４０とを備える棟部換気装置であって、瓦対向本体部１１と野地板当接部２０とは、棟側連結部３０側の間隔が、軒先側連結部４０側の間隔と比較して狭いテーパー状で、野地板１と瓦２との間に設置されると共に、かつ棟側換気口３２と軒先側換気口４２によって、所定開口面積の換気口面積が確保された瓦野地板間換気通路５０とで構成されている。
【００１２】
本発明の棟部換気装置は、瓦対向本体部１１と野地板当接部２０とは、棟側連結部３０側の間隔が、軒先側連結部４０側の間隔と比較して狭いテーパー状で、野地板１と瓦２との間に設置される構成としているので、棟側連結部３０の高さを瓦２の高さと同程度にでき、瓦２の踏み割れを防止できる。瓦野地板間換気通路５０は、棟側換気口３２と軒先側換気口４２によって、所定開口面積の換気口面積が確保される構造であり、換気作用が確保される。テーパー状の角度は、瓦対向本体部１１が野地板当接部２０に対して３度から１５度の範囲内でのテーパー角が好ましく、さらに好ましくは５度から９度の範囲がよく、特に好ましくは６度から８度の範囲がよい。テーパー状の角度が３度未満では、棟側連結部３０側の高さが高くなり、瓦桟との高さの均衡がとれず、瓦２の踏み割れが発生しやすくなる。テーパー状の角度が１５度を超すと、棟側連結部３０側の高さが低くなりすぎ、棟側換気口３２に必要な開口面積を確保するのが困難になる。
【００１３】
本発明の棟部換気装置において、棟側連結部３０の棟側換気口３２は、例えば図８、図９に示すように、瓦対向本体部１１と野地板当接部２０とに其々設けられた、連結用の雄雌の棒状係合部材で設けられる仕切られる空間でもよい。
本発明の棟部換気装置において、好ましくは、例えば図１に示すように、瓦対向本体部１１は、野地板当接部２０に対して３度から１５度の範囲内でのテーパー角を有する状態で対向する傾斜対向部１２を有するとよい。
【００１４】
上記課題を解決する本発明の棟部換気装置は、例えば図７に示すように、棟の屋根換気通路６を覆う状態で設けられると共に、瓦２に対向して位置する瓦対向本体部９１と、棟の屋根換気通路６を挟んで左右に設けられる野地板当接部２０と、瓦対向本体部９１と野地板当接部２０とを棟側で連結すると共に、棟側換気口３２を有する棟側連結部３０と、瓦対向本体部９１と野地板当接部２０とを軒先側で連結すると共に、軒先側換気口４２を有する軒先側連結部４０とを備える棟部換気装置であって、瓦対向本体部９１と野地板当接部２０とは、両者が平行な状態、又は棟側連結部３０側の間隔が軒先側連結部４０側の間隔と比較して狭いテーパー状で、野地板１と瓦２との間に設置され、瓦対向本体部９１の瓦２側であって軒先側端部近傍に瓦対向支持部９９が設けられ、かつかつ棟側換気口３２と軒先側換気口４２によって、所定開口面積の換気口面積が確保された瓦野地板間換気通路５０とを備えることを特徴とする。
【００１５】
本発明の棟部換気装置は、瓦対向本体部９１と野地板当接部２０とは、両者が平行な状態、又は棟側連結部３０側の間隔が軒先側連結部４０側の間隔と比較して狭いテーパー状で、野地板１と瓦２との間に設置される形状としていると共に、瓦対向支持部９９が瓦対向本体部９１の瓦２側であって軒先側端部近傍に設けられる構成としている。そこで、棟側連結部３０近傍に位置する瓦対向支持部９９の高さを瓦２の高さと同程度とすることで、瓦２の踏み割れを防止できる。
本発明の棟部換気装置において、好ましくは、例えば図７に示すように、瓦対向本体部９１は、瓦対向本体部９１の軒先側端部とこれに対向する瓦２との間隔に相当する高さを有するとよい。
【００１６】
本発明の棟部換気装置において、好ましくは、例えば図１、図５に示すように、瓦対向本体部１１は、棟の屋根換気通路６との対向する部位であって、傾斜対向部１２の棟部頂部への仮想延長面に対して窪んだ凹状連結部１４とを有し、凹状連結部１４は棟側換気口３２に対して、棟の屋根換気通路６と瓦野地板間換気通路５０を確保する状態で構成されているとよい。
【００１７】
本発明の棟部換気装置において、好ましくは、例えば図１、図５に示すように、軒先側換気口４２、４６の軒先側部位は軒先側連結部４０と略同じ面をなし、瓦野地板間換気通路５０での結露水又は浸入した雨水を軒先側換気口４２、４６側の外に排水する形状を有するとよい。
本発明の棟部換気装置において、好ましくは、例えば図８に示すように、軒先側連結部は、瓦対向本体部１１と野地板当接部２０とに其々設けられた係合する雄雌の棒状係合部を一定間隔で設けたものであるとよい。
本発明の棟部換気装置において、好ましくは、例えば図６に示すように、軒先側連結部４０の軒先側換気口４６に対応して、軒先側換気口４６と若干の隙間を置いて野地板当接部２０の瓦野地板間換気通路５０側に設けられる軒先側換気口用突起部７０を有するとよい。
【００１８】
本発明の棟部換気装置において、好ましくは、例えば図９に示すように、棟側連結部３０は、瓦対向本体部１１と野地板当接部２０とに其々設けられた係合する雄雌の棒状係合部を一定間隔で設けたものであるとよい。また、棟側連結部３０は、野地板当接部２０の屋根換気通路６の縁部に設けられる態様や、例えば図８、図９に示すように、屋根換気通路６の縁部から内部に入り込んだ中間部遮蔽部材６０の最も棟側に位置するものであってもよい。
本発明の棟部換気装置において、好ましくは、例えば図１、図５に示すように、瓦野地板間換気通路５０の換気できる状態は、棟側換気口３２、３６と軒先側換気口４２、４６における小さいほうの開口面積の天井面積に対する割合が１／１６００以上であるとよい。
【００１９】
本発明の棟部換気装置において、好ましくは、例えば図１、図５に示すように、棟側連結部３０側と軒先側連結部４０側との間に設けられた中間部遮蔽部材６０であって、棟側換気口３２と軒先側換気口４２との間に位置する中間部換気口６２を有すると共に、棟側換気口３２と軒先側換気口４２との間に雨水の遡上を防止する中間部換気口区画部６４を有するとよい。瓦野地板間換気通路５０における軒先側換気口４２から棟側換気口３２までの、軒先側換気口４２、中間部換気口６２、棟側換気口３２の隣接する相互が、横手方向（垂木方向）や長手方向（棟木方向）を基準として、順次互い違い状になるように形成したことにより、強風時での雨水の遡上を防止する構造が得られる。
【００２０】
本発明の棟部換気装置において、好ましくは、例えば図１、図５に示すように、中間部遮蔽部材６０は、中間部換気口６２、６６の軒先側面は軒先側連結部４０と略同じ面をなし、瓦野地板間換気通路５０での結露水又は浸入した雨水を軒先側換気口４２、４６側の部位に排水する形状を有するとよい。
本発明の棟部換気装置において、好ましくは、例えば図６に示すように、中間部遮蔽部材６０の中間部換気口６２に対応して、中間部換気口６２と若干の隙間を置いて野地板当接部２０の瓦野地板間換気通路５０側または棟側換気口３２側に設けられる中間部換気口用突起部８０を有するとよい。
本発明の棟部換気装置において、好ましくは、例えば図１、図５に示すように、瓦野地板間換気通路５０の換気できる状態は、棟側換気口３２、３６、軒先側換気口４２、４６または中間部換気口６２、６６における小さいほうの開口面積の天井面積に対する割合が１／１６００以上であるとよい。
【発明の効果】
【００２１】
本発明の棟部換気装置においては、瓦２と野地板１との間に形成される狭い通気空間に収容される構造であっても、棟側換気口３２、３６と軒先側換気口４２、４６によって、所定開口面積の換気口面積が確保された瓦野地板間換気通路５０を有するため、良好なる換気とともに雨仕舞を勝れたものにできるという効果を奏する。また、棟側連結部３０側の間隔が、軒先側連結部４０側の間隔と比較して狭いテーパー状であるため、棟側連結部３０の高さを瓦２の高さと同程度にでき、瓦２の踏み割れを防止できるため、施工が容易かつ迅速にできるという効果を奏する。
なお、本発明の棟部換気装置においては、棟側連結部３０側の間隔を軒先側連結部４０側の間隔と比較して狭いテーパー状とするのに代えて、瓦対向本体部９１と野地板当接部２０を平行な状態とすると共に、瓦対向支持部９９を瓦対向本体部９１の瓦２側であって軒先側端部近傍に設けても、瓦対向支持部９９の高さを瓦２の高さと同程度にでき、瓦２の踏み割れを防止できるため、施工が容易かつ迅速にできるという効果を奏する。
【００２２】
また、本発明の棟部換気装置において中間部遮蔽部材６０を設ける構成とすると、風雨時において棟側換気口３２、３６より流入した雨水を伴う空気は、中間部遮蔽部材６０の中間部換気口６２、６６と中間部換気口区画部６４、６８にて仕切られた各室を通過するごとに雨水は、ほとんど中間部換気口区画部６４、６８に当って空気より除去され、空気のみが中間部換気口６２、６６を通過し、棟側換気口３２、３６より棟の屋根換気通路を通過して屋内に流入することとなるので、屋内の天井板に雨水の浸入する不都合が生じないものである。
さらに、強風時においては、中間部遮蔽部材６０を設けた棟部換気装置内を流通する空気は、中間部遮蔽部材６０の中間部換気口区画部６４、６８に当たって通過するに従って、次第に風力が弱められ、棟側換気口３２、３６より棟の屋根換気通路６を通過して屋内に流入するときには、極めて暖かな、適当な速度の空気となって屋内に流入させることができる。また、中間部遮蔽部材６０の中間部換気口区画部６４、６８は、空気フィルターの役目をなし、空気内の塵やほこりを除去し、比較的澄んだ空気を室内に取り入れることができる。
【図面の簡単な説明】
【００２３】
【図１】本発明の棟部換気装置の一形態を説明する構成斜視図で、（Ａ）は装着される棟木の頂面斜め上方向から見た構成斜視図、（Ｂ）は図１（Ａ）において瓦対向本体部を取り除いた状態の斜視図である。
【図２】平板瓦に対して本発明の棟部換気装置を施工する状態を説明する棟部要部の拡大断面図である。
【図３】和形瓦に対して本発明の棟部換気装置を施工する状態を説明する棟部要部の拡大断面図である。
【図４】本発明の棟部換気装置の施工手順を説明する要部拡大断面図で、（Ａ）は屋根の棟頂部に開口部を設置する状態を説明する要部斜視図、（Ｂ）は棟部換気装置を当該開口部に設置する状態を説明する要部斜視図である。
【図５】本発明の棟部換気装置の他の実施形態を説明する構成斜視図で、（Ａ）は装着される棟木の頂面斜め上方向から見た構成斜視図、（Ｂ）は図５（Ａ）において瓦対向本体部を取り除いた状態の斜視図である。
【図６】本発明の棟部換気装置の他の実施形態を説明する構成斜視図で、（Ａ）は装着される棟木の頂面斜め上方向から見た構成斜視図、（Ｂ）は図６（Ａ）において瓦対向本体部を取り除いた状態の斜視図である。
【図７】本発明の棟部換気装置の他の実施形態を説明する構成斜視図で、（Ａ）は装着される棟木の頂面斜め上方向から見た構成斜視図、（Ｂ）は図７（Ａ）において瓦対向本体部を取り除いた状態の斜視図である。
【図８】本発明の棟部換気装置の他の実施形態を説明する構成斜視図で、（Ａ）は装着される棟木の頂面斜め上方向から見た瓦対向本体部の構成斜視図、（Ｂ）は瓦対向本体部の展開状態の裏面の構成斜視図である。
【図９】本発明の棟部換気装置の他の実施形態を説明する構成斜視図で、（Ａ）は野地板当接部の要部構成斜視図、（Ｂ）は図９（Ａ）において野地板当接部の側面方向からの斜視図である。
【００２４】
以下、図面を用いて本発明を説明する。
図１は、本発明の棟部換気装置の一形態を説明する構成斜視図で、（Ａ）は装着される棟木の頂面斜め上方向から見た構成斜視図、（Ｂ）は図１（Ａ）において瓦対向本体部を取り除いた状態の斜視図である。図２は、平板瓦に対して本発明の棟部換気装置を施工する状態を説明する棟部要部の拡大断面図である。図３は、和形瓦に対して本発明の棟部換気装置を施工する状態を説明する棟部要部の拡大断面図である。
【００２５】
まず、棟部換気装置の設置場所である、棟部要部について、図２と図3を参照して説明する。図２に示す平板瓦の場合には、棟部要部は、野地板１、瓦２、瓦桟木３、棟部芯材４、棟瓦５、屋根換気通路6で構成されている。図３に示す和形瓦の場合には、棟部要部は、野地板１、瓦２、瓦桟木３、棟部芯材４、屋根換気通路6、棟瓦５としての熨斗瓦７ａ〜７ｅ・雁振り瓦８、および漆喰９で構成されている。
野地板１は、ストレートや瓦など屋根材の下地材であって、小屋組構造材である垂木の上に張る板である。野地板１の上には、防水性を確保するため、アスファルト系等の防水シートを貼付するのがよい。瓦２には、平板瓦と桟瓦の２類型が一般的に用いられている。平板瓦は長方形の洋風様式の瓦で、和形瓦である桟瓦にある山と谷の波形状をなくし、平板状のデザインの瓦の総称である。桟瓦は、断面が波形で，一隅または二隅に切り込みのある瓦であって、本瓦葺きの牡瓦と牝瓦を一枚に簡略化したものである。
【００２６】
瓦桟木３は、瓦２を引掛けるため野地板１に打たれる横材で、例えば１５ｘ３０ｍｍ以上の断面を持ち、腐食しにくい材質であることが望ましい。棟部芯材４は、棟瓦５を屋根の棟部に設置する場合に、棟瓦５の固定を確実にして、強風や豪雨に対する耐久性を高めている。棟部芯材４は、例えば図２に示すように、例えばステンレス鋼製の固定金具４ｃによって、棟部を挟んで両側に位置する野地板１に固定される。あるいは、棟部芯材４は、例えば図３に示すように、例えばステンレス鋼製のボルト４ｂによって、野地板１よりも屋内側に設けられた棟木に固定される。棟木（図示せず）は母屋や桁と平行に取りつけられるもので、屋根が小屋組み構造の場合には、小屋組み構造材の一番高い位置にある部材である。
【００２７】
棟瓦５は、屋根の棟に用いられる瓦であって、平板瓦の場合には平板瓦用冠瓦５が用いられる。平板瓦用冠瓦５では、和形瓦である桟瓦にある山と谷の波形状が設けられていないため、和形瓦用の棟瓦と比較して簡易な断面形状になっている。平板瓦用冠瓦５は、例えばステンレス鋼製のボルト４ａによって、棟部芯材４に固定される。
【００２８】
これに対して、棟瓦５が和形瓦の場合には、棟瓦５は熨斗瓦７ａ〜７ｅ・雁振り瓦８・鬼瓦などを組み合わせて構成される。熨斗瓦７ａ〜７ｅは、棟を積むために用いる短冊形の平瓦である。雁振り瓦８は、棟の最上部にのせる丸形の瓦である。鬼瓦は、和式建築物の棟の端などに設置される板状の瓦である。さらに、和形瓦用の棟瓦５では、例えば図３に示すように、桟瓦にある山と谷の波形状に対応して漆喰９を充填している。漆喰９は、熨斗瓦７ａ〜７ｅ・雁振り瓦８や棟部芯材４の間にも充填されて、これらを堅固に固定して、屋根の耐久性を高めると共に、強風や暴風雨の場合でも、雨水が小屋裏に浸入するのを防止している。
【００２９】
次に、本発明の棟部換気装置について、図１を参照して説明する。本発明の棟部換気装置１０は、図１に示すように、瓦対向本体部１１、野地板当接部２０、棟側連結部３０、軒先側連結部４０、瓦野地板間換気通路５０、及び中間部遮蔽部材６０を備えている。瓦対向本体部１１と野地板当接部２０とは、棟側連結部３０側の間隔が、軒先側連結部４０側の間隔と比較して狭いテーパー状で、野地板１と瓦２との間に設置される中間部遮蔽部材６０は、棟側連結部３０側の間隔と軒先側連結部４０側の間隔の中間値で、当該テーパー状の角度に従い、野地板１と瓦２との間に設置される。
【００３０】
瓦対向本体部１１は、棟の屋根換気通路６を覆う状態で設けられると共に、瓦２に対向して位置する板状の部材である。瓦対向本体部１１の断面形状は棟の左右に設けられる瓦２の傾斜角度に対応する山形であるが、棟に対応する位置では大略平坦な窪みが形成されている。瓦対向本体部１１は、例えば鋼板、ステンレス鋼板、銅板、アルミ合金のような金属製でもよく、またポリプロピレン樹脂、ポリスチレン樹脂、ナイロン樹脂のようなプラスチック製でもよい。プラスチック製の場合には、射出成型に適した形状とする。
【００３１】
瓦対向本体部１１は、傾斜対向部１２、凹状連結部１４、段差形成部１６、軒先側瓦対向開口部１８を有している。傾斜対向部１２は、野地板当接部２０に対して３度から１５度の範囲内でのテーパー角を有する状態で対向する。凹状連結部１４は、棟の屋根換気通路６との対向する部位であって、傾斜対向部１２の棟部頂部への仮想延長面に対して窪んだ凹状で連結する形状をしており、瓦野地板間換気通路５０を確保した状態で棟の屋根換気通路６を覆っている。傾斜対向部１２のテーパー状の角度は、瓦対向本体部１１が野地板当接部２０に対して３度から１５度の範囲内でのテーパー角が好ましく、さらに好ましくは５度から９度の範囲がよく、特に好ましくは６度から８度の範囲がよい。
【００３２】
凹状連結部１４は棟側換気口３２に対して、棟の屋根換気通路６と瓦野地板間換気通路５０との間の換気機能を確保する形状をしているとよい。凹状連結部１４は、棟瓦５と棟の屋根換気通路６の間の空間を拡大して、棟部芯材４の収容を容易にしている。段差形成部１６は、瓦対向本体部１１の棟側端部と凹状連結部１４との段差に応じた高さを有する。また、瓦対向本体部１１を樹脂成型している場合には、凹状連結部１４と段差形成部１６は、樹脂成型時の瓦対向本体部１１の反り返りを防止する機能も有する。凹状連結部１４と段差形成部１６は、任意的なもので、瓦対向本体部１１に設けなくてもよい。
軒先側瓦対向開口部１８は、瓦対向本体部１１の軒先側端部近傍に、軒先側換気口４２と一対一対応に設けられた開口部である。軒先側瓦対向開口部１８は、強風時に軒先側換気口４２に侵入する強風の一部が瓦２と瓦対向本体部１１の隙間に抜けて、棟の屋根換気通路６に吹き込む風の量を軽減している。
【００３３】
野地板当接部２０は、棟の屋根換気通路６を挟んで左右に設けられる板状の部材である。野地板当接部２０は、例えば鋼板、ステンレス鋼板、銅板、アルミ合金のような金属製でもよく、またポリプロピレン樹脂、ポリスチレン樹脂、ナイロン樹脂のようなプラスチック製でもよい。
【００３４】
棟側連結部３０は、瓦対向本体部１１と野地板当接部２０とを棟側で連結する部材である。棟側連結部３０は、図１に示すような、棟側換気口３２と棟側換気口区画部３４を有する板状の部材でもよい。棟側換気口区画部３４は、例えば野地板当接部２０に一端が取り付けられている形状の場合は、この棟側換気口区画部３４の他端が係合するような凹部（図示せず）を瓦対向本体部１１に設けると良い。また、棟側換気口区画部３４は、例えば瓦対向本体部１１に一端が取り付けられている形状の場合は、この棟側換気口区画部３４の他端が係合するような凹部（図示せず）を野地板当接部２０に設けると良い。
なお、棟側連結部３０は、瓦対向本体部１１と野地板当接部２０とに其々設けられた、係合する雄雌の棒状係合部を一定間隔で設けたものでもよい（図８、図９参照）。また、棟側連結部３０は、野地板当接部２０の屋根換気通路６の縁部に設けられる態様（図１参照）に代えて、例えば図８、図９に示すように、屋根換気通路６の縁部から内部に入り込んだ中間部遮蔽部材６０の最も棟側に位置するものであってもよい。
【００３５】
棟側換気口３２と棟側換気口区画部３４は、棟側連結部３０の長手方向に交互に数個設けられている。棟側連結部３０は、金属製の場合には、打ち抜き加工や折り曲げ加工のような板金加工で製造され、プラスチック製の場合には、射出成型機を用いて瓦対向本体部１１又は野地板当接部２０と一体に成型される。棟側換気口３２の軒先側部位では、軒先側連結部４０よりも高い状態で、棟側換気口突起部３３が形成されており、瓦野地板間換気通路５０での結露水又は浸入した雨水が棟の屋根換気通路６に浸入するのを防止する形状を有する。棟側換気口突起部３３は、棟側換気口３２と平行な状態で、結露水又は浸入した雨水を防止できる程度の間隔で設けられていてもよい。
【００３６】
なお、棟側換気口３２の開口面積の天井面積に対する割合を確保することを優先する場合は、野地板当接部２０の屋根換気通路６の縁部に棟側換気口突起部３３や棟側換気口区画部３４を設ける必要はなく、複数列設けられた中間部遮蔽部材６０のうち最も棟側に位置する中間部遮蔽部材６０を棟側換気口として機能させてもよい。この場合、瓦対向本体部１１と野地板当接部２０とを棟側で連結する機能は、別途ボルトとナットや釘等の締結部材を設けて確保してもよく、また別の締結部材で必要な強度が確保できる場合は、省略してもよい。
【００３７】
軒先側連結部４０は、瓦対向本体部１１と野地板当接部２０とを軒先側で連結する部材である。軒先側連結部４０は、図１に示すような、軒先側換気口４２と軒先側換気口区画部４４を有する板状の部材でもよい。軒先側換気口区画部４４は、例えば野地板当接部２０に一端が取り付けられている形状の場合は、この軒先側換気口区画部４４の他端が係合するような凹部（図示せず）を瓦対向本体部１１に設けると良い。また、軒先側換気口区画部４４は、例えば瓦対向本体部１１に一端が取り付けられている形状の場合は、この軒先側換気口区画部４４の他端が係合するような凹部（図示せず）を野地板当接部２０に設けると良い。軒先側連結部４０は、瓦対向本体部１１と野地板当接部２０とに其々設けられた係合する雄雌の棒状係合部を一定間隔で設けたものでもよい（図８、図９参照）。
【００３８】
軒先側換気口４２と軒先側換気口区画部４４は、軒先側連結部４０の長手方向に交互に数個設けられている。軒先側連結部４０は、金属製の場合には、打ち抜き加工や折り曲げ加工のような板金加工で製造され、プラスチック製の場合には、射出成型機を用いて瓦対向本体部１１又は野地板当接部２０と一体に成型される。軒先側換気口４２の軒先側部位は軒先側連結部４０と略同じ面をなし、瓦野地板間換気通路５０での結露水又は浸入した雨水を軒先側換気口４２側の外に排水する形状を有する。
【００３９】
中間部遮蔽部材６０は、棟側連結部３０側と軒先側連結部４０側との間に設けられた部材で、図１の実施例では、中間部遮蔽部材６０は一列設けられている。中間部遮蔽部材６０は、一定間隔で設けられた数個の中間部換気口６２と中間部換気口区画部６４を有する板状の部材でもよい。中間部換気口６２は、棟側換気口区画部３４と軒先側換気口区画部４４とに対向する位置に設けられるもので、棟側換気口３２や軒先側換気口４２と共同して換気口として作用する。中間部換気口区画部６４は、棟側換気口３２と軒先側換気口４２との間に位置するもので、雨水の遡上を防止する遮蔽板として作用する。中間部遮蔽部材６０では、中間部換気口６２が軒先側換気口４２から棟側換気口３２までの隣接する相互間で、横手方向（垂木方向）や長手方向（棟木方向）を基準として、順次互い違い状になるように形成される。
【００４０】
そこで、中間部遮蔽部材６０が一列の場合は、中間部換気口６２の開口幅は、中間部換気口区画部６４の遮蔽する板部の幅に対して、大略同じか僅かに狭くする。これと共に、棟側換気口３２の開口幅は、棟側換気口区画部３４の遮蔽する板部の幅に対して、大略同じか僅かに狭くする。また、軒先側換気口４２の開口幅は、軒先側換気口区画部４４の遮蔽する板部の幅に対して、大略同じか僅かに狭くする。このような形状とすることで、棟部換気装置１０での換気機能を確保すると共に、暴風時の雨水の遡上を防止する。
【００４１】
中間部換気口区画部６４は、例えば野地板当接部２０に一端が取り付けられている形状の場合は、この中間部換気口区画部６４の他端が係合するような凹部（図示せず）を瓦対向本体部１１に設けると良い。また、中間部換気口区画部６４は、例えば瓦対向本体部１１に一端が取り付けられている形状の場合は、この中間部換気口区画部６４の他端が係合するような凹部（図示せず）を野地板当接部２０に設けると良い。中間部遮蔽部材６０は、瓦対向本体部１１と野地板当接部２０とに其々設けられた係合する雄雌の棒状係合部を一定間隔で設けたもので、瓦対向本体部１１と野地板当接部２０との連結機能を有するものでもよい。
【００４２】
瓦野地板間換気通路５０は、棟側換気口３２、中間部換気口６２、及び軒先側換気口４２によって、所定開口面積の換気口面積が確保されて構成されている。
瓦野地板間換気通路５０における軒先側換気口４２から棟側換気口３２までの、軒先側換気口４２、中間部換気口６２、棟側換気口３２の隣接する相互が、横手方向（垂木方向）や長手方向（棟木方向）を基準として、順次互い違い状になるように形成されている。この互い違い状構造により、強風時での雨水の遡上を防止する構造が得られる。
瓦野地板間換気通路５０の換気できる状態は、棟側換気口３２、軒先側換気口４２または中間部換気口６２における小さいほうの開口面積の天井面積に対する割合が１／１６００以上であるとよい。
【００４３】
このように構成された本発明の棟部換気装置の施工作業について説明する。
図４は、本発明の棟部換気装置の施工手順を説明する要部拡大断面図で、（Ａ）は屋根の棟頂部に開口部を設置する状態を説明する要部斜視図、（Ｂ）は棟部換気装置を当該開口部に設置する状態を説明する要部斜視図である。
まず、野地板１と瓦桟木３を設置した状態の屋根の棟頂部に、屋根換気通路６となる開口部を設ける作業を行う。開口部の形状は、例えば棟頂部の両側の傾斜部に、左右２０ｍｍ程度で、棟頂部の長さ方向に沿って棟部換気装置の両端部よりも４０ｍｍ程度短くする。
次に、屋根換気通路６となる開口部を覆うように、棟部換気装置としての棟部換気ユニット１０を設置する。その後、棟部換気ユニット１０を覆う状態で瓦２を葺く。瓦２は、洋風屋根であれば平板瓦となり、和風屋根であれば桟瓦となる。そして、棟瓦５を棟部換気装置の頂部の位置に固定する。
【００４４】
次に、本発明の他の実施の形態を説明する。
図５は、本発明の棟部換気装置の他の実施形態を説明する構成斜視図で、（Ａ）は装着される棟木の頂面斜め上方向から見た構成斜視図、（Ｂ）は図５（Ａ）において瓦対向本体部を取り除いた状態の斜視図である。なお、図５において、前出の図１と同一作用をするものには同一符号を付して説明を省略する。
【００４５】
図５の実施例では、中間部遮蔽部材６０が二列以上設けられている場合を示すもので、ここでは中間部遮蔽部材６０ａ、６０ｂ、６０ｃの三列が設けられている。中間部遮蔽部材６０を二列以上設けることで、中間部換気口６６の開口幅は、中間部換気口区画部６８の遮蔽する板部の幅に対して、広くとることができる。
棟側連結部３０は、棟側換気口３６と棟側換気口区画部３８を有する板状の部材である。棟側換気口３６と棟側換気口区画部３８は、棟側連結部３０の長手方向に交互に数個設けられているもので、中間部遮蔽部材６０ａ、６０ｂ、６０ｃが三列設けられている関係で、棟側換気口３６の開口幅は、棟側換気口区画部３８の遮蔽する板部の幅に対して、広くとることができ、例えば４対１になっている。棟側換気口３６の軒先側部位では、軒先側連結部４０よりも高い状態で、棟側換気口突起部３７が形成されており、瓦野地板間換気通路５０での結露水又は浸入した雨水が棟の屋根換気通路６に浸入するのを防止する形状を有する。棟側換気口突起部３７は、棟側換気口３６と平行な状態で、結露水又は浸入した雨水を防止できる程度の間隔で設けられていてもよい。
【００４６】
なお、棟側換気口３６の開口面積の天井面積に対する割合を確保することを優先する場合は、野地板当接部２０の屋根換気通路６の縁部に棟側換気口突起部３７や棟側換気口区画部３８を設ける必要はなく、中間部遮蔽部材６０のうち最も棟側に位置する中間部遮蔽部材６０ｃを棟側換気口として機能させてもよい。この場合、瓦対向本体部１１と野地板当接部２０とを棟側で連結する機能は、別途ボルトとナットや釘等の締結部材を設けて確保してもよく、また別の締結部材で必要な強度が確保できる場合は、省略してもよい。
【００４７】
軒先側連結部４０は、軒先側換気口４６と軒先側換気口区画部４８を有する板状の部材である。軒先側換気口４６と軒先側換気口区画部４８は、軒先側連結部４０の長手方向に交互に数個設けられているもので、中間部遮蔽部材６０ａ、６０ｂ、６０ｃが三列設けられている関係で、軒先側換気口４６の開口幅は、軒先側換気口区画部４８の遮蔽する板部の幅に対して、広くとることができ、例えば４対１になっている。軒先側換気口４６の軒先側部位は軒先側連結部４０と略同じ面をなし、瓦野地板間換気通路５０での結露水又は浸入した雨水を軒先側換気口４６側の外に排水する形状を有する。
【００４８】
中間部遮蔽部材６０ａ、６０ｂ、６０ｃは、棟側連結部３０側と軒先側連結部４０側との間に設けられた板状の部材で、図５の実施例では、中間部遮蔽部材６０が互いに平行に三列設けられている。中間部遮蔽部材６０ａ、６０ｂ、６０ｃは、一定間隔で設けられた数個の中間部換気口６６ａ、６６ｂ、６６ｃと中間部換気口区画部６８ａ、６８ｂ、６８ｃを有する。中間部換気口６６ａ、６６ｂ、６６ｃは、棟側換気口３６や軒先側換気口４６と共同して換気口として作用する。中間部換気口区画部６８ａ、６８ｂ、６８ｃは、棟側換気口区画部３８と軒先側換気口区画部４８に対して、遮蔽する板部の位置を順次ずらすことで、これら全体して、雨水の遡上を防止する遮蔽板として作用する。中間部遮蔽部材６０ａ、６０ｂ、６０ｃでは、中間部換気口６６ａ、６６ｂ、６６ｃが軒先側換気口４８から棟側換気口３８までの隣接する相互間で、横手方向（垂木方向）や長手方向（棟木方向）を基準として、順次互い違い状になるように形成される。
【００４９】
このように構成された図５の実施例においては、中間部換気口６６の開口幅と中間部換気口区画部６８の遮蔽する板部の幅の比率は、例えば４対１になっている。これにより、排気孔の有効面積の天井面積に対する割合を一定値確保する場合にも、中間部換気口６２の開口幅を広くすることで開口高さを狭くすることも可能となり、中間部遮蔽部材６０の高さを低く抑えることができる。そこで、棟部換気ユニット１０が野地板１と瓦２の狭い空間に収容される場合でも、瓦野地板間換気通路５０として、排気孔の有効面積の天井面積に対する割合を一定値確保することが容易になる。
【００５０】
図６は、本発明の棟部換気装置の別の実施形態を説明する構成斜視図で、（Ａ）は装着される棟木の頂面斜め上方向から見た構成斜視図、（Ｂ）は図６（Ａ）において瓦対向本体部を取り除いた状態の斜視図である。なお、図６において、前出の図１、図５と同一作用をするものには同一符号を付して説明を省略する。
【００５１】
図６の実施例では、中間部遮蔽部材６０は一例設けられている場合を示すもので、さらに軒先側換気口用突起部７０と中間部換気口用突起部８０が設けられている。軒先側換気口用突起部７０は、軒先側換気口４６の各々に対応して、軒先側換気口４６と若干の隙間を置いて野地板当接部２０の中間部遮蔽部材６０側に設けられる突起部である。軒先側換気口用突起部７０は、軒先側換気口４６から浸入した雨水が瓦野地板間換気通路５０に浸入する際の抵抗体として作用する。また、軒先側換気口用突起部７０と軒先側換気口４６の両側に存在する隙間は、瓦野地板間換気通路５０での結露水又は浸入した雨水を、軒先側換気口４６の外に排水する形状を有する。
【００５２】
中間部換気口用突起部８０は、中間部換気口６６の各々に対応して、中間部換気口６６と若干の隙間を置いて野地板当接部２０の棟側連結部３０側に設けられる突起部である。中間部換気口用突起部８０は、軒先側換気口４６から中間部換気口６６をへて浸入した雨水が、瓦野地板間換気通路５０の棟側連結部３０側や棟の屋根換気通路６に浸入する際の抵抗体として作用する。また、中間部換気口用突起部８０と中間部換気口６６の両側に存在する隙間は、瓦野地板間換気通路５０の中間部遮蔽部材６０と棟側連結部３０の間の部位での結露水又は浸入した雨水を、中間部換気口６６の下流側から軒先側換気口４６の外に排水する形状を有する。
【００５３】
このように構成された図６の実施例においては、中間部換気口６６が軒先側換気口４６から棟側換気口３６までの隣接する相互間で、横手方向（垂木方向）や長手方向（棟木方向）を基準として、順次互い違い状になるように形成されると共に、軒先側換気口用突起部７０は軒先側換気口４６から浸入する雨水を和らげる抵抗体として作用し、中間部換気口用突起部８０は中間部換気口６６から浸入する雨水を和らげる抵抗体として作用するので、棟の屋根換気通路６に雨水が浸入するのを効果的に防止する。
また、中間部換気口用突起部８０は中間部換気口６６との間に隙間を有し、軒先側換気口用突起部７０は軒先側換気口４６との間に隙間を有するので、瓦野地板間換気通路５０での結露水又は浸入した雨水を軒先側換気口４２側に排水するのを促進する。
さらに、中間部換気口区画部６８が棟側換気口３６と軒先側換気口４６並びに隣接する中間部換気口６６の間を遮る位置に設けられる。そこで、中間部換気口６６の開口部を中間部換気口区画部６８に対して高い比率で確保できる。
【００５４】
図７は、本発明の棟部換気装置の別の実施形態を説明する構成斜視図で、（Ａ）は装着される棟木の頂面斜め上方向から見た構成斜視図、（Ｂ）は図７（Ａ）において瓦対向本体部を取り除いた状態の斜視図である。なお、図７において、前出の図１、図５、図６と同一作用をするものには同一符号を付して説明を省略する。図７では、瓦対向本体部１１、傾斜対向部１２、凹状連結部１４、段差形成部１６、および軒先側瓦対向開口部１８に対応する部材が、瓦対向本体部９１、傾斜対向部９２、凹状連結部９４、段差形成部９６、および軒先側瓦対向開口部９８と符号を付してある。
【００５５】
前出の図１、図５、図６の実施例で、棟側連結部３０側の間隔を軒先側連結部４０側の間隔と比較して狭いテーパー状としている。これに対して、図７の実施例では、瓦対向本体部９１と野地板当接部２０を平行な状態とすると共に、瓦対向支持部としての瓦対向リブ部９９を瓦対向本体部９１の瓦２側であって軒先側端部近傍に設けている。軒先側瓦対向開口部９８は、瓦対向リブ部９９よりも軒先側端部側に設けてあり、強風時に軒先側換気口４２に侵入する強風の一部が瓦２と瓦対向本体部９１の隙間に抜けることで、棟の屋根換気通路６に吹き込む風の量を軽減している。
【００５６】
瓦対向本体部９１と野地板当接部２０とは、両者が平行な状態で、野地板１と瓦２との間に設置される形状としているので、棟側連結部３０側の間隔と軒先側連結部４０側の間隔は同じになっている。瓦対向リブ部９９が、瓦対向本体部９１の瓦２側であって軒先側端部近傍に設けられる構成としているので、棟側連結部３０近傍に位置する瓦対向リブ部９９の高さを瓦２の高さと同程度にでき、瓦２の踏み割れを防止できる。瓦対向リブ部９９は、軒先側瓦対向開口部９８にそって凹状連結部９４と平行な状態で設けられている。瓦対向リブ部９９の頂面の形状は、瓦２の踏み割れを防止できるように、応力が過度に集中しないような形状であるとよく、例えば滑らかな曲面でもよく、また平坦な面でもよい。
なお、前出の図１、図５、図６の実施例で、棟側連結部３０側の間隔を軒先側連結部４０側の間隔と比較して狭いテーパー状の場合にも、瓦対向支持部としての瓦対向リブ部を瓦対向本体部の瓦２側であって軒先側端部近傍に設けてもよい。
【００５７】
図８は、本発明の棟部換気装置の他の実施形態を説明する構成斜視図で、（Ａ）は装着される棟木の頂面斜め上方向から見た瓦対向本体部の構成斜視図、（Ｂ）は瓦対向本体部の展開状態の裏面の構成斜視図である。なお、図８において、前出の図１、図５、図６と同一作用をするものには同一符号を付して説明を省略する。
瓦対向本体部１１は、前述の傾斜対向部１２、凹状連結部１４、段差形成部１６、軒先側瓦対向開口部１８に加えて、棟木用ボルト囲い部１３、垂木方向リブ１５、１７、棟木用ボルト開口蓋部１９を有している。棟木用ボルト囲い部１３は、棟木用ボルト開口蓋部１９を取り除いて棟木用ボルトを通す場合の、棟木用ボルト側に雨水や強風が侵入するのを防止する囲いである。垂木方向リブ１５、１７は、瓦対向本体部１１の剛性を高める為の補強用リブである。棟木用ボルト開口蓋部１９は、これを取り除いて棟木用ボルトを通すことで、瓦対向本体部１１を棟木に固定できる。
【００５８】
軒先側連結部４０には、軒先側換気口区画部４１と円管状突起部４５が設けられている。軒先側換気口区画部４１は、棟木の方向に一致する長手方向に設けられるもので、雨水や強風が内部に侵入するのを防止する障壁として作用すると共に、隣接する軒先側換気口区画部４１との開口部が軒先側換気口として作用する。円管状突起部４５は長手方向に一定間隔で設けられたもので、野地板当接部２０側に設けられる丸棒状突起部４３と係合して、瓦対向本体部１１と野地板当接部２０とを一体化する。円管状突起部４５と軒先側換気口区画部４１とは一体化して設けられており、軒先側換気口区画部４１は円管状突起部４５の剛性を高めるリブとしても機能する。
【００５９】
中間部遮蔽部材６０には、中間部換気口区画部６１、中間部円管状突起部６５、棟側連結用円管状突起部６９、および突起部補強リブ８１が設けられている。中間部換気口区画部６１は、棟木の方向に一致する長手方向に設けられるもので、雨水や強風が内部に侵入するのを防止する障壁として作用すると共に、隣接する中間部換気口区画部６１との開口部が中間部換気口として作用する。中間部円管状突起部６５は、円管状突起部４５のない位置の長手方向に一定間隔で設けられたもので、野地板当接部２０側に設けられる中間部丸棒状突起部６７と係合して、瓦対向本体部１１と野地板当接部２０とを一体化する。棟側連結用円管状突起部６９は、円管状突起部４５のある位置の長手方向に一定間隔で設けられたもので、野地板当接部２０側に設けられる棟側連結用丸棒状突起部６３と係合して、瓦対向本体部１１と野地板当接部２０とを一体化する。棟側連結用円管状突起部６９は、最も棟木に近い位置にある円管状突起部であり、前出の図１、図５、図６の実施例での棟側連結部３０に相当している。
【００６０】
円管状突起部４５と棟側連結用円管状突起部６９は、垂木方向リブ１５によって補強されている。中間部円管状突起部６５は、垂木方向リブ１７によって補強されている。突起部補強リブ８１は、棟側連結用円管状突起部６９と一体化して設けられており、突起部補強リブ８１は棟側連結用円管状突起部６９の剛性を高めるリブとしても機能する。なお、この実施の形態では、野地板当接部２０の屋根換気通路６の縁部に、円管状突起部やこれと係合する丸棒状突起部を設けない構成としているので、突起部補強リブ８１は、最も屋根換気通路６に近い位置にある。そこで、突起部補強リブ８１を長手方向に伸長させて障壁としての機能を高めて、棟側換気口区画部の役割を兼用させてもよい。
【００６１】
図９は、本発明の棟部換気装置の他の実施形態を説明する構成斜視図で、（Ａ）は野地板当接部の要部構成斜視図、（Ｂ）は図９（Ａ）において野地板当接部の側面方向からの斜視図である。なお、図９において、前出の図１、図５、図６と同一作用をするものには同一符号を付して説明を省略する。
野地板当接部２０には、軒先側リブ状支持部２１、中間部リブ状支持部２２、棟側リブ状支持部２３が設けられている。軒先側リブ状支持部２１は、軒先側丸棒状突起部４３の姿勢を垂直方向とするように、垂木方向断面形状が三角形をしている。中間部リブ状支持部２２は、中間部丸棒状突起部６７の姿勢を垂直方向とするように、垂木方向断面形状が三角形をしている。棟側リブ状支持部２３は、棟側連結用丸棒状突起部6３の姿勢を垂直方向とするように、垂木方向断面形状が三角形をしている。
野地板当接部２０には、野地板当接部２０が野地板１の傾斜相当の傾斜角で野地板１に装着される関係で、軒先側丸棒状突起部４３、中間部丸棒状突起部６７、棟側連結用丸棒状突起部６３の姿勢を垂直方向とすることが望ましい。この姿勢により、軒先側丸棒状突起部４３、中間部丸棒状突起部６７、棟側連結用丸棒状突起部６３の其々は、瓦対向本体部１１に設けられた軒先側円管状突起部４５、中間部円管状突起部６５、棟側連結用円管状突起部６９と係合するのが容易になる。
【００６２】
図６に示す軒先側連結部４０に相当するものとして、図９では、軒先側円管状突起部４３と軒先側ダミー部４７が設けられている。軒先側円管状突起部４３は、一端が軒先側リブ状支持部２１に固定されたもので、他端が軒先側円管状突起部４５と係合する。軒先側ダミー部４７は、図９（Ａ）に示すように、軒先側リブ状支持部２１の両側に設けられるもので、全ての位置に軒先側円管状突起部４５と係合する軒先側円管状突起部を設けると、瓦対向本体部１１と野地板当接部２０の取付姿勢が誤った関係でも一体化されることを防止するために、誤接続防止用に軒先側ダミー部４７が設けられている。
【００６３】
図６に示す中間部遮蔽部材６０に相当するものとして、図９では、棟側連結用丸棒状突起部６３、中間部丸棒状突起部６７、棟側ダミー部７１が設けられている。棟側連結用丸棒状突起部６３は、一端が棟側リブ状支持部２３に固定されたもので、他端が棟側連結用円管状突起部６９と係合する。中間部丸棒状突起部６７は、一端が中間部リブ状支持部２２に固定されたもので、他端が中間部円管状突起部６５と係合する。棟側ダミー部７１は、ビスの打ち込まれる箇所で、瓦対向本体部１１と野地板当接部２０をより強固に緊結するため設けられる。
【００６４】
図６に示す軒先側換気口用突起部７０に相当するものとして、図９では、軒先側突起部７２、７３が設けられている。軒先側突起部７２は、軒先側リブ状支持部２１と一体に長手方向に設けられる突起部で、軒先側換気口区画部４１と共に雨水や強風が内部に侵入するのを防止する障壁として作用する。軒先側突起部７３は、中間部リブ状支持部２２と一体に長手方向に設けられる突起部で、隣接する軒先側換気口区画部４１のない開口部での剛性を高める。軒先側突起部７２、７３の間には、空隙があり、結露水の外部への排水を可能としている。
【００６５】
図６に示す中間部換気口用突起部８０に相当するものとして、図９では、軒先側リブ状突起部８２、棟側リブ状突起部８４、８５、中間部リブ状突起部８６、８７が設けられている。軒先側リブ状突起部８２は、軒先側リブ状支持部２１の棟側の長手方向に設けられた突起部である。棟側リブ状突起部８４は、棟側リブ状支持部２２の軒先側の長手方向に設けられた突起部である。棟側リブ状突起部８５は、棟側リブ状支持部２２の棟側の長手方向に設けられた突起部である。中間部リブ状突起部８６は、中間部リブ状支持部２３の軒先側の長手方向に設けられた突起部である。中間部リブ状突起部８７は、中間部リブ状支持部２３の棟側の長手方向に設けられた突起部である。
【００６６】
図８、図９に示すような瓦対向本体部１１と野地板当接部２０を組み合わせた実施形態であっても、本発明の実施態様として所期の効果が期待できる。
以上、添付図面を参照して、この発明の実施形態を説明したが、この発明はかかる実施形態に限定されるものではなく、特許請求の範囲の記載から把握される技術的範囲において種々の形態に変更可能である。例えば、中間部遮蔽部材６０を複数設けると共に、中間部換気口区画部６４、６８及び中間部換気口６２、６６は、これらの形状を適切に設計することで、外部の騒音に対する遮音板及び吸音板としての役目をなすため、室内を外部の騒音より遮断できる構造としてもよい。
【符号の説明】
【００６７】
１  野地板
２  瓦（平板瓦、桟瓦）
３  瓦桟木
４  棟部芯材（棟木）
５  棟瓦
６  屋根換気通路
７ａ〜７ｅ  熨斗瓦
８  雁振り瓦
９  漆喰
１０  棟部換気装置（棟部換気ユニット）
１１、９１  瓦対向本体部（瓦対向部材）
１２、９２  傾斜対向部
１４、９４  凹状連結部
１６、９６  段差形成部
１８、９８  軒先側瓦対向開口部
２０  野地板当接部
２１  軒先側リブ状支持部
２２  中間部リブ状支持部
２３  棟側リブ状支持部
３０  棟側連結部
３２、３６  棟側換気口
３３、３７  棟側換気口突起部
３４、３８  棟側換気口区画部
４０  軒先側連結部
４２、４６  軒先側換気口
４４、４８  軒先側換気口区画部
５０  瓦野地板間換気通路
６０、６０ａ、６０ｂ、６０ｃ  中間部遮蔽部材
６２、６６、６６ａ、６６ｂ、６６ｃ  中間部換気口
６４、６８、６８ａ、６８ｂ、６８ｃ  中間部換気口区画部
７０  軒先側換気口用突起部
８０  中間部換気口用突起部
９９  瓦対向リブ部（瓦対向支持部）
【図１】
2018076670.tif 000003
【図２】
2018076670.tif 000004
【図３】
2018076670.tif 000005
【図４】
2018076670.tif 000006
【図５】
2018076670.tif 000007
【図６】
2018076670.tif 000008
【図７】
2018076670.tif 000009
【図８】
2018076670.tif 000010
【図９】
2018076670.tif 000011